(57)【要約】  呼吸補助下の患者の換気の有効性を診断するための装置（１０）であり、上記装置（１０）は、該患者を換気するためのシステム（１）と協働することを意図され、該装置（１０）は、‐送気の間および呼気の間の空気流速を実時間において測定しうる二方向熱質量センサ（２０）と、‐前記センサ（２０）へ接続され、且つ該センサ（２０）により測定された該空気流速に関するデータを受け取りかつ処理するように構成された電子ケーシング（２１）とを有し、該電子ケーシング（２１）は、ｉ．表示装置（２７）およびデータを入力するための手段を備えるユーザインタフェースと、ｉｉ．データ処理センターと、ここで、該データ処理センターは、データを受け取り、処理をし、かつ表示するようにプログラムされたアルゴリズムに従って動作し、換気の有効性を実時間において分析しかつ警報を管理する、ｉｉｉ．電力を供給するための手段とを有している。【選択図】図１
2018524064.tif 000002
【特許請求の範囲】
【請求項１】
患者を換気するためのシステム（１）と相互作用することを意図された、呼吸補助下の該患者の換気の有効性を診断するための装置（１０）であって、該装置（１０）は、
‐  送気および呼気での空気流速を実時間において測定しうる二方向熱質量センサ（２０）と、
‐  前記センサ（２０）により測定された該空気流速に関するデータを受け取りかつ処理するように構成された、該センサ（２０）へ接続された電子ユニット（２１）と、
を備え、
該電子ユニット（２１）は、
ｉ．表示装置（２７）およびデータを入力するための手段を備えるユーザインタフェースと、
ｉｉ．データ処理センターと、ここで、該データ処理センターは、データを受け取り処理しかつ表示し、換気の有効性を実時間において分析しかつ警報を管理するようにプログラムされたアルゴリズムに従って動作する、
ｉｉｉ．電力を供給するための手段と、
を備えている、
上記装置（１０）。
【請求項２】
該センサ（２０）と該電子ユニット（２１）との間の切断可能な接続部（２２）を備えている、請求項１に記載の装置（１０）。
【請求項３】
該表示装置（２７）はスクリーンであり、電力を供給する手段はバッテリーである、請求項１または２に記載の装置（１０）。
【請求項４】
該センサ（２０）は、１回使用用である、請求項１〜３の何れか１項に記載の装置（１０）。
【請求項５】
以下のセンサ：圧力センサ、および空気中のＣＯ２濃度のセンサ、から選択された少なくとも１つの別のセンサを備えている、請求項１〜４の何れか１項に記載の装置（１０）。
【請求項６】
データを入力するための手段は、患者の身体的及び／又は生理的特徴を該電子ユニット（２１）内へ入力すること、及び／又は換気に関する特徴、特に、換気のタイプ、換気装置（１１）のタイプ、及び／又は換気インタフェース（１２）のタイプに関する特徴を入力すること、を可能にするように構成されている、請求項１〜５の何れか１項に記載の装置。
【請求項７】
患者の身体及び／又は生理的特徴は、以下の特徴またはパラメータ：患者のサイズ、患者の肺容積、患者の肺コンプライアンス、患者の肺抵抗、患者の呼気時定数、患者の終末呼気陽圧、患者の呼気中のＣＯ２濃度、からの少なくとも２つを含んでいる、請求項１〜６の何れか１項に記載の装置。
【請求項８】
該データ処理センターは、患者に提供された換気補助の期間中、特に各換気サイクルにおいて、前記特徴および、特に各換気サイクルにおいて該センサ（２０）によって測定された、生理的パラメータを、前記患者の最適換気のための理想的な換気パラメータ、および各換気パラメータについての最小閾値及び／又は最大閾値をそれらから演繹するために、分析するように構成されている、請求項６または７に記載の装置。
【請求項９】
該換気パラメータは、以下のパラメータ：送気量、呼気量、１回の呼吸量（Ｖt）、漏洩量、換気頻度（Ｆr）、および送気圧からの少なくとも２つを含んでいる、請求項８に記載の装置。
【請求項１０】
該データ処理センターは、該患者へ供給される換気補助の期間中、特に各換気サイクルにおいて、該センサ（２０）によっておよび任意的な別のセンサによって測定された換気パラメータを受け取り、且つそれらを前記閾値と比較するように構成されている、請求項８または９に記載の装置。
【請求項１１】
該データ処理センターは、該患者へ供給される換気補助の期間中、特に各換気サイクルにおいて、および各換気パラメータについて、測定された換気パラメータの値が対応する最大閾値よりも高い及び／又は対応する最小閾値よりも低い場合に、警告及び／又は、変更されるべき１以上の換気パラメータ又は最適換気を達成するために実行されるべき訂正に関する１つの情報を生成するように構成されている、請求項１０に記載の装置。
【請求項１２】
該電子ユニットは、変更されるべきパラメータ又は訂正を該表示装置（２７）を介してユーザへ送るように構成されていること、及び／又は該電子ユニットは、可視の及び／又は聴覚の及び／又は触覚の指示を含み、且つ変更されるべきパラメータ又は訂正を前記指示を介して該ユーザへ送るように構成されていることによって特徴付けられる、請求項１１に記載の装置。
【請求項１３】
患者へ呼吸補助を提供するための換気システム（１）であって、請求項１〜１２に何れか１項に記載の、該患者の換気の有効性を診断するための装置（１０）と、可撓性のバッグ、自己膨張バッグ、および機械的ベンチレータから成るグループから選択された換気装置（１１）とを備えている、上記換気システム（１）。
【請求項１４】
気管切開チューブ又は気管チューブを介する侵襲性換気およびマスクを介する非侵襲性換気から成るグループから選択された換気インタフェース（１２）を備え、二方向熱質量センサ（２０）は、該換気装置（１１）と該換気インタフェース（１２）との間に置かれている、請求項１３に記載の換気システム（１）。
【請求項１５】
請求項１３および１４の何れか１つに記載された換気システムを用いる、患者の換気の有効性を決定するための方法であって、以下の工程：
ａ）該患者の身体的及び／又は生理的特徴を電子ユニット（２１）へ入力すること、及び／又は換気に関する、特に換気のタイプ、換気装置（１１）のタイプ、及び／又は換気インタフェース（１２）のタイプに関する特徴を入力することを可能にすること；
ｂ）該センサ（２０）を用いて該患者の生理的パラメータを測定すること；
ｃ）工程ａ）において入力された該特徴と、工程ｂ）において測定された該パラメータとを分析すること；
ｄ）それらから、前記患者の最適な換気のために理想的な換気パラメータ、および各換気パラメータについての最小閾値及び／又は最大閾値を実時間で演繹すること；
ｅ）該患者の該換気パラメータを実時間で測定すること；
ｆ）該測定された換気パラメータを前記閾値と夫々比較すること；
ｇ）各換気パラメータに対して、測定された換気パラメータの値が対応する最大閾値よりも大きい場合及び／又は対応する最小閾値よりも小さい場合に、警告及び／又は、変更されるべき１つ又は２以上のパラメータまたは最適換気を達成するように実行されるべき修正に関する情報を生成すること：
ｈ）該患者に提供された換気補助の期間中、特に各換気サイクルにおいて、工程ｂ）から工程ｇ）を繰り返すこと；
を包含することを特徴とする、
上記方法。
【請求項１６】
該患者の身体的及び／又は生理的特徴は、以下の特徴またはパラメータ：該患者のサイズ、該患者の肺容量、該患者の肺コンプライアンス、該患者の肺抵抗、該患者の呼気時定数、該患者の終末呼気陽圧、該患者の呼気中のＣＯ２濃度、からの少なくとも２つを包含している、請求項１５に記載の方法。
【請求項１７】
該換気パラメータは、以下のパラメータ：送気量、呼気量、呼吸量（Ｖt）、漏洩量、換気頻度（Ｆr）、および送気圧、から少なくとも２つを包含している、請求項１５または１６に記載の方法。
【請求項１８】
変更されるべきパラメータまたは修正は、表示装置（２７）、例えばスクリーン、及び／又は可視の指示器及び／又は聴覚の指示器及び／又は触覚の指示器を通してユーザへ伝達される、請求項１５〜１７の何れか１項に記載の方法。
【発明の詳細な説明】
【技術分野】
【０００１】
本発明は、呼吸補助下にある患者の換気有効性を診断するための装置に関する。本発明はまた、そのような装置を含む患者への呼吸補助を提供するための換気システム、およびそのような換気システムを用いて患者の換気有効性を決定するための方法に関する。
【背景技術】
【０００２】
換気システムは、第１対応者および医療従事者および緊急時に対応する救急医療従事者によって、病院または他の健康センターの内外における麻酔および蘇生において用いられる。
【０００３】
手動式換気の有効性を改善するために、最近数年間にわたり複数の研究プロジェクトが実施され、複数の装置が開発されてきた。
【０００４】
米国特許出願（ＵＳ2013/0180527）は、換気のために用いられるバッグの形状の最適化に関しており、１のかつ唯一の圧縮方法が用いられることを保証するためにバッグは指の位置を含んでおり、それによって患者へ分配される空気量の変動を軽減する。この装置は、５００〜６００ｍｌの間の一定量を分配するように設計された。
【０００５】
米国特許出願（ＵＳ2008/0236585）は、送気バルブで空気流量およびピーク圧を測定し、第１対応者へ理想的な換気の頻度を発光レート信号によって指示し、そして各換気サイクルにおける送気量を表示する。
【０００６】
国際特許出願公開（ＷＯ2014/078840）は、患者の蘇生および呼吸機能を制御するためのシステムおよび方法を記載する。圧力センサが、空気圧を検出し、第１検出信号を生成する。流速センサが、空気流速を測定し、第２信号を生成する。プロセッサが上記第１および第２検出信号を受信し、換気頻度、肺圧、および患者へ分配された空気の量を同定するために、アルゴリズムを用いて処理する。これら同定された値により分析報告書が実時間で生成される。
【０００７】
市販の装置のうちで、Weinmann社のMedumat Easy CPRは、機械式可搬型換気装置に比べて高価でない代替品である。この装置は、手動で起動される人工換気を陽圧で遂行し、そして第１対応者が例えば国際救急医療勧告に記載された最適換気頻度を順守することを可能にするレート機能を有している。この装置は、いくつかの研究において評価され、換気パラメータ、例えば換気頻度および送気量における分散を先験的に減少させる。しかし、その使用は、圧搾された酸素の供給源を要する。さらに第１対応者は、患者の病態に応じて換気パラメータを調整しうるために呼吸生理学および気管支管理の知識があることを要求される。
【０００８】
他の公知の装置（Galemed Corporationによって商標Exhalometer（商標）の下に市販されている）は、患者へ与えられる送気量、毎分拍出量、および換気頻度を測定することを意図されている。この装置は、バッグの呼気用弁を通過する空気量を測定する。それは実際の呼吸量から有意に異なりうる。特に、多くの研究は、マスク換気の間に多量の漏洩、即ち２５〜４０％の間の漏洩を示し、Exhalometer（商標）を通過する呼気量は、マスクと患者の顔との間の送気および呼気の間に生じる漏洩によって減らされる。
【０００９】
これら２つの装置は、患者の病態を考慮した換気の有効性を評価することを可能にせず、かつ過度の換気を減少させること、または第１対応者へ警告メッセージを届けることを可能にする機能を有しない。
【発明の概要】
【発明が解決しようとする課題】
【００１０】
このようにして患者の病態を考慮する換気システムを提供する必要性がある。
【００１１】
また、高度な事前訓練なしで、任意の第１対応者および医療従事者またはヘルスセンター内外における救急医療従事者によって使用可能な換気システムを提供する必要性がある。
【００１２】
最後に、貧弱な換気の急速な是正を可能にする換気システムを提供する必要性がある。
【課題を解決するための手段】
【００１３】
上述の必要性の全て又はいくつかを満たすために、本発明は、患者を換気するためのシステムと相互作用することを意図された、呼吸補助下の該患者の換気の有効性を診断するための装置であって、
‐  送気および呼気での空気流速を実時間において測定しうる二方向熱質量センサと、
‐  該センサにより測定された該空気流速に関するデータを受け取りかつ処理するように構成された、上記センサへ接続された電子ユニットと、
を含む該装置を提供する。
【００１４】
該二方向性熱質量センサの存在のおかげで、そこを通って流れる気体状流体の量に相関付けられるところの温度勾配の測定によって送気および呼気の空気流速を測定することが可能である。このセンサは、空気流（これが吸気か呼気かに関わらず）に対して有意な抵抗を示さず、そして、温度、圧力、および該流体の組成（空気、Ｏ２、Ｎ２）に依存する測定の較正を許容し、重力または装置の配向に敏感ではない。今日の機械的ベンチレータにおいて用いられる圧力勾配フローメータとは反対に、この技術は、患者に対する送気または呼気の妨害物に対する抵抗に対抗することなく共により正確であるという有利な点を持っている。
【００１５】
該センサは、好ましくは使い捨てである。センサはオートクレーブ処理可能でありうる。そのような使い捨てまたはオートクレーブ処理可能の二方向熱質量センサの使用は、フィルタの使用を避けることを可能にする。該フィルタは、そのかさと空気流に対するその抵抗の故に、換気および換気パラメータの測定に対する実質的な障害物である。
【００１６】
「呼吸補助」または「換気補助」によって意味されるものは、任意のタイプの呼吸補助（部分的または全体的であるに関わらず）であり、全呼吸補助はまた呼吸置換と呼ばれる。
【００１７】
診断装置は、患者の換気のための、および換気の必要性の任意のタイプのための任意の装置と、および侵襲性または非侵襲性インタフェースの任意のタイプと提携させられうる。
【００１８】
本発明によって、換気の有効性を診断するための装置が提供され、該装置はコンパクトで軽く、そして、患者の呼吸パラメータを測定するために、マスク又はチューブの患者の上流の出来るだけ近くに置かれる。そのコンパクト性は、さらにより小型のケーシングが用いられることを可能にする。その小さい重量はその操作性およびその使用を改良する。
【００１９】
該装置は好ましくは、該センサと該電子ユニットとの間の切断可能な接続部を含んでいる。
【００２０】
該センサおよび該電子ユニットは、電子機械接続部を介して、道具または特別なノウハウ無しに容易に接続されうる。
【００２１】
変更実施形態として、該センサと該電子ユニットとの間のリンクは無線である。該電子ユニットは、
‐  表示装置、例えばスクリーン、およびデータを入力するための手段を備えるユーザインタフェースと、
‐  データ処理センターと、
‐  電力を供給するための手段、例えば少なくとも１つのバッテリーと、
を含む。
【００２２】
１以上のバッテリーが存在するとき、該装置を電源線にプラグでつなぐ必要性はなく、このことは診断装置がどこででも用いられることを可能にする。
【００２３】
該データ処理センターは例えば、データを獲得、処理、かつ表示し、換気の有効性を実時間に分析し、且つ警告、（特に以下に記載されたような）を管理するようにプログラムされたアルゴリズムに従って動作する。
【００２４】
該電子ユニットは、該二方向性熱質量センサと、任意的に有線リンクによって、接続されたマイクロプロセッサの形態を取りうる。該ユーザインタフェースおよび該データ処理センターおよび該電子ユニットの別の構成要素は、１の同一装置内に置かれ得、または互に分離され又は遠隔に置かれうる。
【００２５】
該診断装置は、以下のセンサ：圧力センサ、および空気中のＣＯ２濃度のセンサから選択された、少なくとも１つの別のセンサさえも含みうる。そのようなセンサは、患者の肺の特徴および病状の特徴を測定することを可能にすることができ、これらの特徴はその後、該装置の電子ユニットのデータ処理センターによって分析されるであろう。１以上の他のセンサは、それらが存在するとき、診断装置と一体化されうる。変更実施態様として、それらは、該診断装置がそれと相互作用するところの換気システム内に存在しうる。
【００２６】
該診断装置は、実際の１回の呼吸量を評価することを可能にし、気体交換に参加する空気の実際の量についての制御と情報が与えられることを可能にする。それは、患者の生理的な特徴に関する換気の有効性の特注の分析を実時間で実行する。該装置は、あらゆる環境において適切な換気が維持されるように、第１対応者へ警告および助言メッセージを届ける。診断装置は、特に光信号及び／又は聴覚信号を介して第１対応者へ正しい換気頻度に関する情報を与え、および患者に分配しなければならない実際の呼吸量を表示するために、患者の生理的特徴を考慮に入れる。
【００２７】
呼吸補助下の患者の換気の有効性を診断するための装置は、患者の推奨された必要性または患者の病状の進展と矛盾しない、患者に適用された換気パラメータの実時間での調整を許容する。
【００２８】
「患者の生理的特徴」または「患者の生理的パラメータ」によって意味されるものは、呼吸システムの機械的特性（とりわけ例えば、肺容量、肺コンプライアンス、肺抵抗、呼吸時定数）の水準、または患者の換気と他の生理的システム、特に心臓血管システム（とりわけ例えば呼気中のＣＯ２濃度、動脈内酸素飽和度）との間の相互作用に起因する変数の水準の両方に関する、患者の固有の特性を特徴付けるところの任意の物理量である。
【００２９】
「換気パラメータ」によって意味されるものは、患者の呼吸補助の実装に対応する測定されたパラメータである。
【００３０】
本発明の別の局面による別の主体は、上記との組み合わせにおいて、上で規定されたような患者の換気の有効性を診断するための装置、および可撓性のバッグ、自己膨張バッグ、および機械的ベンチレータから成るグループから選択された換気装置を有している、患者への呼吸補助を提供する換気システムである。
【００３１】
該換気システムは好ましくは、呼吸の悩みを抱える患者の連続的換気、無呼吸患者のための呼吸置換、患者の自発的換気、および心停止の患者の不連続的な換気、から成るグループから選択される使用に適しうる。
【００３２】
該換気システムは有利的に、気管切開又は気管チューブを介する侵襲的換気、およびマスクを介する非侵襲的換気、から成るグループから選択された換気インタフェースを含む。
【００３３】
本発明の別の局面による別の主体は、上記とは独立にまたは上記との組み合わせにおいて、少なくとも換気装置、換気インタフェース、および空気流速、圧力、及び／又は空気中のＣＯ２濃度の１以上のセンサ、および関連するマイクロプロセッサを備える換気システム（特に例えば上で規定されたような、または何らかの別の適切な換気システム）を用いる、患者の換気有効性を決定するための方法であり、この方法は、以下の工程：
ａ）該患者の身体的及び／又は生理的特徴を電子ユニットに入力すること、及び／又は換気に関する、特に換気のタイプ、換気装置のタイプ、及び／又は換気インタフェースのタイプに関する特徴を入力することを可能にすること；
ｂ）該センサを用いて該患者の該生理的パラメータを測定すること；
ｃ）工程ａ）において入力された該特徴と、工程ｂ）において測定されたパラメータとを分析すること；
ｄ）それらから、上記患者の最適な換気のために理想的な換気パラメータ、および各換気パラメータについての最小閾値及び／又は最大閾値を実時間で演繹すること；
ｅ）該患者の該換気パラメータを実時間で測定すること；
ｆ）該測定された換気パラメータを上記閾値と夫々比較すること；
ｇ）各換気パラメータに対して、測定された換気パラメータの値が対応する最大閾値よりも大きい及び／又は対応する最小閾値よりも小さい場合に、警告及び／又は変更されるべき１つ又は２以上のパラメータ、または最適換気を達成するように実行されるべき修正に関する情報を生成すること：
ｈ）該患者に提供された換気補助の期間中、特に各換気サイクルにおいて、工程ｂ）から工程ｇ）を繰り返すこと；
を包含することを特徴とする。
【００３４】
本発明に従う該方法によって、特に工程ｃ）およびｄ）において、呼吸補助下に置かれた患者の生理的特徴の診断を遂行すること、および該患者の推奨された必要性または該患者の病状の進展と矛盾しない、該患者に適用された換気パラメータを実時間において調整すること、およびそれに従って警告閾値を調製することを可能にする。
【００３５】
本発明に従う該方法は、呼吸曲線の連続的且つ自動的な解釈を実行することを包含している。警告メッセージを管理するためのシステムは、危険な換気の場合に該第１対応者が警告されること、および適切な換気に戻す最も効果的な仕方を指示することを可能にする。目的は、換気の有効性について負のインパクトを有するパラメータを検出すること、および有効性の満足なレベルを出切る限り速く簡単に回復するために該第１対応者へ特定のメッセージを表示することである。複数の問題が、換気が不充分または過剰である場合に生起しえて、そしてこの鍵の機能の役割は、したがって有効な換気を保証するために、これらのパラメータの内のどれが優先的に修正されうるかを示すことである。
【００３６】
該患者の身体的及び／又は生理的特徴およびパラメータは、以下の特徴またはパラメータ：該患者のサイズ、該患者の肺容量、該患者の肺コンプライアンス、該患者の肺抵抗、該患者の呼気時定数、該患者の終末呼気陽圧、該患者の呼気中のＣＯ２濃度、から少なくとも２つを有利に包含している。
【００３７】
該換気パラメータは例えば、以下のパラメータ：送気量、呼気量、呼吸量（Ｖt）、漏洩量、換気頻度（Ｆr）、および送気圧、からの少なくとも２つを包含している。
【００３８】
さらに、本発明のおかげで、変更されるべきパラメータまたは値の許容可能な範囲へ回帰するために為される修正が、該第１対応者のために決定され、それにより彼が、必要な場合に、問題の１以上のパラメータを指示された仕方で変更するように実時間で行動することを可能にする。このことは、該第１対応者の側に特別の知識が必要とせずに、換気パラメータが最適であることを保証すること、ひいては該患者に提供された換気補助が成功であることを保証することを可能にする。
【００３９】
変更されるべきパラメータまたは為されるべき修正は、ユーザ、即ち第１対応者へ、表示装置、例えばスクリーン、及び／又は可視の及び／又は聴覚の及び／又は触覚の指示器によって伝達されうる。
【００４０】
本発明に従う患者を換気するための方法は、該患者の病状及び該患者の生理的特徴を実時間で考慮に入れることを可能にする。これは、呼吸補助の期間中患者の病状に対応して該患者を最適に換気することを可能にする。
【００４１】
該方法を実装するために用いられる、患者を換気するための該システムの該換気装置および該換気インタフェースは、例えば上で規定されたようなものでありうる。該１つの又は２以上のセンサは、例えば上で規定されたようなものである。変更された実施形態として、該二方向性熱質量センサの代わりに、該換気システムは、空気流速の適切なセンサの何らかの別のタイプを備えうる。該マイクロプロセッサは任意的に、１以上の有線によって１以上のセンサへ接続されうる。該マイクロプロセッサは、該電子ユニット（例えば上で規定されたような）に類似でありえ、１以上のセンサから受信された情報とユーザによって入力された情報とを処理するように、および本方法に従って該ユーザへ情報を配信するように配設されている。
【００４２】
本発明は、これら実装のこれらに限定する意図のない実施例の以下の詳細な記載を読むことおよび添付された図面を検討することによって、より良く理解されよう。
【図面の簡単な説明】
【００４３】
【図１】本発明に従う患者の換気の有効性を診断するための装置を組み込んだ本発明に従う換気システムの概略図である。
【図２】図１の換気システムの概略の部分斜視図である。
【図３】図１又は２の患者の換気の有効性を診断するための装置の電子ユニットの表示デバイスのディスプレイの例を分離した該略図である。
【図４】本発明に従う患者の換気のための方法の工程を示す概略の流れ図である。
【図５】図４の方法の或る工程の詳細な流れ図である。
【図６】図４の方法の或る工程の詳細な流れ図である。
【図７】図４の方法の或る工程の詳細な流れ図である。
【発明を実施するための形態】
【００４４】
図１は、患者の換気の有効性を分析するための装置１０（以下に記載される）を含む、患者に対する呼吸補助を提供するための換気システム１を示している。
【００４５】
換気システム１は、本例において自己膨張バッグを形成する換気装置１１を含んでいる。本発明の範囲は、例え換気装置が異なっても、例えば機械式ベンチレータまたはとりわけ可撓性バッグから成る場合に、逸脱されない。
【００４６】
換気システム１は、使用、例えば呼吸困難な患者の連続的換気、無呼吸患者のための呼吸代替、患者の自発的換気、または心臓停止の患者の不連続な換気、または別の使用に対して適しうる。
【００４７】
換気システム１はさらに、図示された例においてマスクを介する非侵襲性の換気から成る、該換気システム１を患者に接続するよう働く換気インタフェース１２を含む。マスクは、患者の口と鼻とにつけることが意図されている。本発明の範囲は、換気インタフェース１２が気管チューブ又は上部喉頭部（supralaryngeal）装置を介する侵襲性換気で構成される場合に、逸脱されない。
【００４８】
換気システム１はさらに、換気装置１１由来の空気を換気インタフェース１２の方へ向かわせ、且つ患者によって吐き出された空気を大気へ逃すために、換気装置１１と換気インタフェース１２との間に置かれた一方向性呼気弁１３を含んでいる。
【００４９】
この例おいて、換気装置１１は、開放空気に開いており且つ大気から換気装置１１内へ空気が流れることを可能にするところのチェック弁１４を備えている。
【００５０】
換気システム１はさらに、患者が空気を供給されることを可能にするところの一方向性送気弁１５を含んでいる。
【００５１】
診断装置１０、換気装置１１、換気インタフェース１２、呼気弁１３、および送気弁１５は、例えば、それ自体公知の仕方で図１に概略的に示されたように係合を介して、一緒に可逆的に組み立てられる。
【００５２】
換気の有効性を診断するための装置１０は、呼気および送気の空気流速を実時間で測定できる二方向熱質量センサ２０、および電気的及び機械的接続を確保する切断可能な接続手段２２によって上記センサ２０へ接続された電子ユニット２１を含んでいる。二方向熱質量センサ２０（熱質量流速計とも呼ばれる）は、一回使用またはオートクレーブ処理可能でありうる。それは、図１および２で分るように、一方で、換気装置１１の送気弁１５と呼気弁１３との間に差し込まれ、他方で換気インタフェース１２に差し込まれることを意図されている。該センサ２０は、流体の比熱容量を測定することによって、および各換気サイクル毎にそこを通過する空気の量を拡張することによって、吸われ及び吐かれた空気の流速および体積を測定することを可能にする。電子ユニット２１は、センサ２０によって測定された空気流速に関するデータを受信し処理するように構成されている。
【００５３】
図示された実施例においては、診断装置１０は他の如何なるセンサも含んでいないが、本発明の範囲を逸脱しない限り、他のセンサ、例えば圧力センサ及び／又は空気中のＣＯ２濃度のセンサを含みうる。
【００５４】
診断装置１０の電子ユニット２１は、ハードウェア部分とソフトウェア部分を含むデータ処理センター、表示装置およびデータを入力する手段を備える制御インタフェース又はユーザインタフェース、および電力を供給するための手段、例えば１以上のバッテリーを含んでいる。電子ユニット２１は、換気カーブが解釈されることを可能にし、および換気の有効性に関する重要な情報と様々な警告メッセージが第１対応者へ表示されることを可能にする。換気の有効性が患者に対して不適切であり又は危険であると考えられた場合に、診断装置１０は、有効性のこの欠如の主原因が同定されること、および特定の警告メッセージが第１対応者へ送られることを可能にする。
【００５５】
電子ユニット２１は、この実施例において、図１において分るように、可視アラームが表示されることを可能にする発光ダイオード２５即ちＬＥＤ、およびリセットボタン２６、及び電子ユニット２１によって実行された有効性の分析に基づいて、様々なタイプの警告およびメッセージが表示されることを可能にする表示装置２７（図３に示される）を含んでいる。
【００５６】
電子ユニット２１は、変形として、特定のアプリケーションを実行するラップトップの、スマートフォンの、タブレットのコンピュータを含み又は構成され、必要な場合には、うる。１以上のセンサおよびシステムの他の要素とインタフェースするためのハードウェアインタフェースを有しうる。
【００５７】
情報は、１以上の有線及び／又は無線を介して処理センターと１以上のセンサ及びシステムの他の要素との間で交換されうる。
【００５８】
図３に示された本実施例において、１回の呼吸量Ｖｔ２９（これは各呼吸において肺に到達する空気の体積であり、ｍｌで表示される）は、各換気サイクル毎に表示装置２７上に表示される。この実施例において、測定された１回の呼吸量Ｖｔが４５０ｍｌと読み取られうる。
【００５９】
吸い込み及び吐き出した量はまた、本実施例において３つの部分に分割されて、色２８ａ、２８ｂ、２８ｃの３つの帯域を形成する棒状グラフ２８の形状においてスクリーン上に表示され、これは、患者の生理学的特性に基づいて、量が不十分（２８ａ）、有効（２８ｂ）、または過剰（２８ｃ）であるか否かを夫々に示す。
【００６０】
データ処理センターによって決定された最適換気頻度は、第１対応者が用いる正しい頻度を知らせるために発光信号及び／又は音響信号及び／又は触覚信号を介して、該対応者へ伝達される。図３の実施例においては、換気頻度を減少させる必要があることを示す警告メッセージ３１が現れる。
【００６１】
図３の実施例において、「漏洩」を示す警告メッセージ３０が現れて、第１対応者へ漏洩を（例えば患者のマスクの位置を直すことにより）減らす必要があることを知らせる。具体的には、漏洩は、各換気サイクルにおける吸われた体積と吐き出された体積との間の相違を測定することにより、及び／又は流速の増加を同時に伴っている送気圧における低下を観測することにより検出され計算される。
【００６２】
最後に、再び図３において可視の指示３２は、１又は２以上のバッテリーの充電のレベルを見ることを可能にする。
【００６３】
この診断装置１０によって、電子ユニット２１によって配信された、主要な換気パラメータの値、患者の生理的及び身体的特徴とＩＬＣＯＲ（International Liaison Committee On Resuscitation：国際蘇生法連絡委員会）の勧告との一致に関する情報が、換気サイクル毎に第１対応者へフィードバックされる。具体的には、換気インタフェース１２の上流に置かれたセンサ２０によって得られた呼気量と送気量との測定は、電子ユニット２１のデータ処理センターによって処理された後、１回の換気量、即ち患者の肺へ実際に供給された空気の量、および各換気サイクルにおける漏洩が評価され表示されることを可能にする。流速の測定はまた、特定のトリガーにより換気サイクルの様々なフェーズの検出を可能にする。特定のトリガーは特に、呼気の終わる前に第１対応者が患者に再送気を行なうときに生じるところの患者の過剰換気を防止するために、患者の呼気フェーズの終わりを検出することを可能にする。過剰に高い呼気漏洩の故に呼気フェーズの終わりの検出が可能でないとき、それは患者の呼気時定数の測定によって評価されうる。
【００６４】
図４〜７は、本発明に従う換気システム１を用いて患者に換気をおこなうための方法の工程を示している。
【００６５】
図４を参照して、換気システム１を用いて患者に換気をおこなうための方法は、患者の身体的及び／又は心理的特性（特に患者のサイズ）を選択する又は電子ユニット２１へ指示するためにユーザインタフェース（特に入力手段）を第１対応者が用いる工程１を包含している。この特徴を受け取るデータ処理センターは、すると患者の肺容量および正しい１回の呼吸量（Ｖｔ）の範囲、例えば１回の呼吸量の最小閾値および最大閾値を自動的に規定するように構成されている。
【００６６】
工程２において、第１対応者は、換気（特に換気のタイプ）に関する特徴を選択または指示することができ、該特徴は、例えば心肺蘇生（ＣＰＲ）または換気のみから選択される。データ処理センターは次に、流速のフィルタリングのレベル、および呼気フェーズと送気のフェーズの検出のために用いられるトリガー値を自動的に規定する。
【００６７】
工程３において、第１対応者は、換気の別の特徴、例えば侵襲的または非侵襲的換気から選らばれた換気モードを選択しうる。データ処理センターは次に、漏洩量許容範囲、即ち最大漏洩量閾値を自動的に規定する。
【００６８】
工程４において、表示装置２７の主スクリーンはスイッチを入れられ、データ処理センターのメインプログラムは始動する。
【００６９】
各サイクルにおいて、分析が実行される。
【００７０】
工程５において、休止フェーズ６、吸気フェーズ７、呼気フェーズ８を検出し且つ計算フェーズ９を実行するためにセンサ２０を用いて流速が測定される。具体的には、休止フェーズ６と吸気フェーズ７との間で、クロックリセットを生成する陽流速を検出することから成る工程６bisが存在し、これは吸気フェーズの途中であることの検出を可能にする。さらに、吸気フェーズ７と呼気フェーズ８との間、工程７bisにおいて、陰流速が検出され、これは呼気フェーズの途中であることを告げることを可能にする。呼気フェーズ８の後、流速（工程８bisにおいて検出される）はゼロであり、これは計算フェーズ９が起動されることを可能にする。
【００７１】
陽流速の検出から換気サイクルの終わりまで、サイクル時間（Ｔcycle）と換気頻度（Ｆr）は、工程１０において測定される。
【００７２】
換気サイクルを監視しながら、計算フェーズ９において得られた結果に依存して、以下に説明するように、情報が表示され及び／又は警告が視覚の及び／又は聴覚の及び／又は接触の表示の形で起動される。
【００７３】
吸気フェーズ７の間の方法の詳細は、図５に示されている。この吸気フェーズ７は、呼気時間Ｔi ７１の測定を含む。吸気時間Ｔiがプリセット期間、例えば４秒よりも長い場合に、「呼気がない」とのメッセージ７２が送られる。吸気は一般に０．５〜２秒の間続くことが指摘されよう。このようにして、プリセット期間の後に２秒間よりも長く、例えば送気開始後に４秒間より長く呼気が検出されなかった場合に、メッセージ７２が表示される。
【００７４】
並行して、工程７３において流速が測定され、そして流速は送気時間Ｔiに亘って積分され、それにより、工程７４において送気された又は吸気量Ｖiを計算すること、そして工程７５において吸気量Ｖiが表示されること、そして棒状グラフ２８が立ち上げられることを可能にする。
【００７５】
並行して、工程７６において、送気圧が測定され、工程７７において最大圧Ｐｐｅａｋが測定され、そして工程７８においてこの最大圧Ｐｐｅａｋが表示される。
【００７６】
呼気フェーズ８における方法が、図６に詳細に示されている。呼気フェーズ８において、工程８１において呼気時間Ｔeが測定される。
【００７７】
並行して、工程８２において、流速が測定され、そして理論的な呼気時間ＴeＴhが計算される。ＴeＴhの計算は、患者の呼気時定数（これは５＊Ｒ＊Ｃに等しい、ここでＲは肺抵抗、Ｃは肺コンプライアンスである）を評価することによって遂行される。ＴeＴhはまた、呼気流速カーブの指数関数的回帰によって予測される。次に、流速は、工程８４において、呼気量Ｖeの計算を減らすために、呼気時間Ｔeに亘り積分される。換気モードが非侵襲性であるとき、棒状グラフ２８は、工程８５において、期間ＴeＴhに亘り徐々に下げられる。換気モードが侵襲性であるとき、棒状グラフ２８は、工程８６において、Ｖeに直接比例して下げられる。
【００７８】
並行して、工程８７において、例えばセンサ２０とインタフェース１２との間に置かれた任意的なセンサによって実行された測定を用いて、ＣＯ２濃度が測定され、そして呼気のＣＯ２の量ＥtＣＯ２が表示される。そのようなセンサは、例えば赤外線分光法による測定を可能にするＮＤＩＲ（NonDispersive InfraRed：非分散性赤外線）センサである。
【００７９】
並行して、工程８８において、終末呼気陽圧（ＰＥＥＰ：positive end-expiratory pressure）が測定され且つ表示される。
【００８０】
最後に、計算フェーズ９において、図７に詳細に示されたように、漏洩量Ｖｌｅａｋｓが工程９１において計算され、次いで１回の呼吸量Ｖtが工程９２において計算され、そして１回の換気量Ｖtは工程９３において表示される。工程９４において、肺コンプライアンスＣが、式Ｃ＝Ｖt／（Ｐｐｅａｋ−ＰＥＥＰ）を用いて計算される。工程９５において、肺抵抗Ｒが、式Ｒ＝Ｔe／５＊Ｃを用いて計算される。
【００８１】
休止時間Ｔpはまた、工程９６において計算され、そして換気頻度Ｆrの測定、患者のサイズ、換気のタイプ、および換気モードを用いて、計算は、工程９４及び９５において実行され、特に工程９７において肺モデルおよび有効性閾値および換気パラメータが規定され、そして換気の有効性が分析される。
【００８２】
漏洩量Ｖｌｅａｋｓが最大プリセット閾値よりも大きい場合に、工程９８において、警告メッセージ「漏洩」３０が表示される。漏洩量Ｖｌｅａｋｓが上記プリセット最大閾値よりも小さい場合に、工程９９において、警告メッセージ３０は消される。
【００８３】
並行して、換気頻度Ｆrが所定の最大閾値よりも多い場合に、すると工程９１０において、警告メッセージ「高換気頻度」または「高Ｆr」が表示される。しかし、換気頻度がプリセット最大閾値よりも少ない場合に、工程９１１において、警告メッセージは消される。換気頻度Ｆrがプリセット最小閾値よりも少ない場合に、工程９１２において、警告メッセージ「低換気頻度」または「低Ｆr」が表示され、しかし換気頻度Ｆrが上記プリセット最小閾値よりも多い場合に、工程９１３において、警告メッセージは消される。
【００８４】
並行して、１回の呼吸量Ｖtがプリセット最大閾値より多い場合、工程９１４において、警告メッセージ「多呼吸量」または「多Ｖt」が表示される。しかし、１回の呼吸量Ｖtがこのプリセット最大閾値より少ない場合、工程９１５において、警告メッセージは消される。１回の呼吸量Ｖtがプリセット最小閾値より少ない場合、工程９１６において、警告メッセージ「少呼吸量」または「少Ｖt」が表示される。呼吸量Ｖtがプリセット最小閾値より多い場合、工程９１７において、警告メッセージは消される。
【００８５】
図４に示された工程１１において、サイクル時間が値のプリセット範囲内（例えば５〜７秒の間）にある定数よりも長く且つ呼気フェーズの終わりが検出されるか又はサイクル時間がプリセット閾値（例えば７秒）を越えるとき、緑色の発光ダイオード２５が点灯され且つ音響信号が発せられる。この光信号および音響信号は、第１対応者へ呼吸の正しい時間を表示することを可能にする。送り込まれた量Ｖiが正しい範囲に達するか又は呼気フェーズの開始が検出されるとき、次いで工程１２において、可視の表示、例えば赤色の発光ダイオード２５が、第１対応者へ警告するために点灯される。送気量Ｖiの正しい範囲は、工程１および９７において決定される。漏洩がない場合、量Ｖiは正しい。そうでない場合、正しい量は漏洩に応じて正しくされる。最適サイクル時間は、患者の肺特性、例えば彼の肺コンプライアンスおよび肺抵抗に基づく。
【００８６】
漏洩量はまた、送気量の百分率で表され、かつプリセット最大閾値（例えば、送気量の約２０％〜４０％の間にある）を有している。呼吸頻度Ｆrの最大閾値は、例えば１分間当り約１２〜２０回の間であり、そして換気頻度の最小閾値は、例えば１分間当り約８〜１２回の間である。１回の呼吸量Ｖtに関して、プリセット最大閾値は、例えば約５００ｍｌ〜７００ｍｌの間にあり、そしてプリセット最小閾値は、例えば約３００ｍｌ〜５００ｍｌの間にある。
【００８７】
本発明によって、第１対応者は、漏洩量、換気頻度Ｆr、１回の呼吸量Ｖtに関する情報に直ぐにアクセスでき、そして必要ならば患者のために最適な換気を再構成するために、正されるべき１以上のパラメータに非常に素早く影響を与えうる。患者の各換気サイクルにおける方法の工程の繰り返しは、換気システム又は呼吸生理学の深い知識を有さなくても、第１対応者が患者の臨床状態の進展に連続的に適応すること、および表示装置２７に示されたパラメータを修正することを可能にする。
【００８８】
本発明は、勿論、ここの記載された実施例に限定されるものではない。
【００８９】
特にシステムは、小児科または新生児用の使用に適応させられることができ、上で記載された閾値はそれに従って変更されうる。
【００９０】
本記載を通して、表現「１の〜を含む」は、表現「少なくとも１の〜を備えている」と同義であるとして理解されなければならない。
【００９１】
値の範囲は、別の指示がない限り、端の値が含まれると理解される。
【符号の説明】
【００９２】
１          換気システム
６          休止フェーズ
７          吸気フェーズ
８          呼気フェーズ
９          計算フェーズ
１０          診断装置
１１          換気装置
１２          換気インタフェース
１３          呼気弁
１４          チェック弁
１５          一方向性送気弁
２０          二方向熱質量センサ
２１          電子ユニット
２２          接続手段
２５          発光ダイオード
２６          リセットボタン
２７          表示装置
２８          棒状グラフ
３０          警告メッセージ
３２          可視の指示
【図１】
2018524064.tif 000003
【図２】
2018524064.tif 000004
【図３】
2018524064.tif 000005
【図４】
2018524064.tif 000006
【図５】
2018524064.tif 000007
【図６】
2018524064.tif 000008
【図７】
2018524064.tif 000009
【国際調査報告】
2018524064.tif 000010
2018524064.tif 000011
2018524064.tif 000012
2018524064.tif 000013
2018524064.tif 000014
2018524064.tif 000015
2018524064.tif 000016
2018524064.tif 000017